(57)【要約】【課題】車室内前方の空気を車室内後方に対流させることのできる車両用対流促進装置を提供する。【解決手段】車両用対流促進装置は、車両内に設けられた運転席用シート１および助手席用シート２を備える。かつ、これらのシート１、２の前方に設けられた車両用空調装置２５のフェイス吹出口５を備える。シート１、２内には、吸い込んだ空気をシート１、２のシートバック６、８の側面から車両後方側に吹出すシート側方吹出口１０、１１を備える。シート側方吹出口１０、１１から吹出される風により、フェイス吹出口５からシート１、２までに存在する空気をシート１、２の後方に流す。これにより、快適な空気をシート後方側に対流させて空気の滞留が無い車室内環境を作り出すことができる。シート内に対流用ファン１４を設けてシートベンチレーションシステムまたはシート空調装置と一体化することができる。【選択図】図１
2014111424.tif 000002
【特許請求の範囲】
【請求項１】
車両内に設けられたシート（１、２）と、
前記シート（１、２）に設けられ車両後方または車両斜め後方へ空気を吹出すことにより車両前方の空気を巻き込んで車両後方への空気流路を形成するシート吹出口（１０、１１、３７、３８）と、を備え、
前記シート吹出口（１０、１１、３７、３８）は、前記シート（１、２）の曲がり角または車両前後方向に延在する側面に設けられ、車両前方の空気を巻き込む角度で空気を吹出すことを特徴とする車両用対流促進装置。
【請求項２】
前記シート（１、２）の背もたれ部となるシートバック（６、８）の曲がり角に、前記シート吹出口（１０、１１、３７、３８）を備え、前記シート吹出口（１０、１１、３７、３８）から前記車両斜め後方へ空気を吹出すことを特徴とする請求項１に記載の車両用対流促進装置。
【請求項３】
前記シート吹出口（１０、１１、３７、３８）は、吸い込んだ空気を前記シートバック（６、８）の前記側面から車両後方または車両斜め後方に吹出すシート側方吹出口（１０、１１）から成ることを特徴とする請求項２に記載の車両用対流促進装置。
【請求項４】
更に、前記シート（１、２）の前方に設けられた車両用空調装置（２５）のフェイス吹出口（５）を備え、
前記車両用空調装置（２５）が作動したときの空調風が前記フェイス吹出口（５）から前記車両後方に向けて吹出されている場合に、前記空調風に沿って前記シート吹出口（１０、１１、３７、３８）が風を吹出すように制御する制御装置（３２）を備えることを特徴とする請求項１ないし３のいずれか一項に記載の車両用対流促進装置。
【請求項５】
前記フェイス吹出口（５）は、前記運転席用シート（１）と前記助手席用シート（２）との間に向けて送風するセンターベント吹出口（５）から成り、
前記センターベント吹出口（５）から吹出される風の流れ路に面して前記シート吹出口（１０、１１）が形成されていることを特徴とする請求項４に記載の車両用対流促進装置。
【請求項６】
前記シート（１、２）は、運転席用シート（１）と助手席用シート（２）とから成り、
運転席用シート（１）の前記シート吹出口（１０）と前記助手席用シート（２）の前記シート吹出口（１１）とは、前記運転席用シート（１）と前記助手席用シート（２）との夫々の前記シートバック（６、８）の側面に相対向して設けられていることを特徴とする請求項３に記載の車両用対流促進装置。
【請求項７】
空気を吸い込む吸込口と吸い込んだ空気が前記シート吹出口（１０、１１、３７、３８）を介して吹出されるように、前記吸込口と前記シート吹出口（１０、１１、３７、３８）との間に設けられた対流用ファン（１４）を備えることを特徴とする請求項１ないし６のいずれか一項に記載の車両用対流促進装置。
【請求項８】
前記車両用空調装置（２５）の運転モードが、フェイス吹出口（５）から送風するフェイスモードであることを条件に、前記シート吹出口（１０、１１）が風を吹出すように制御する前記制御装置（３２）を備えることを特徴とする請求項４または５に記載の車両用対流促進装置。
【請求項９】
前記シート吹出口（１０、１１、３７、３８）には、前記シート吹出口（１０、１１、３７、３８）から吹出される風の方向を制御するシート用ルーバ（２２）が設けられていることを特徴とする請求項１ないし８のいずれか一項に記載の車両用対流促進装置。
【請求項１０】
前記シート（１、２）内に前記対流用ファン（１４）を前記シート（１、２）の内部に組み込まれたシート内ファン（１４）として有し、
前記シート内ファン（１４）からの空気を前記シート（１、２）のシート表皮（１７）を通過する空気と前記シート吹出口（１０、１１、３７、３８）を通過する空気とのいずれかに切替える空気流切替え手段（２２、２３）を備えたことを特徴とする請求項７に記載の車両用対流促進装置。
【請求項１１】
前記フェイス吹出口（５）に設けられたスイングルーバ（２６）と、
前記スイングルーバ（２６）の動きを検出するセンサ（３１）と、
前記センサ（３１）からの信号により、前記シート用ルーバ（２２）の動きを制御するルーバ駆動装置（２３）と、を備えることを特徴とする請求項４または５に記載の車両用対流促進装置。
【請求項１２】
前記車両用空調装置（２５）は、車両の側方に空気を吹出すサイドベント吹出口（３５、３６）を備え、
前記シート吹出口（３７、３８）は、前記サイドベント吹出口（３５、３６）から後方に向けて吹出される風をアシストするように、前記前席側シート（１、２）の窓側側面に設けられ、空気を前記シート（１、２）の窓側側面から後方側に吹出す窓側シート吹出口（３７、３８）から成ることを特徴とする請求項４、５、１１のいずれか一項に記載の車両用対流促進装置。
【請求項１３】
前記シート吹出口（１０、１１、３７、３８）には、斜め後方に傾斜したシート内部ダクト（３３、３４）が接続され、前記シート内部ダクト（３３、３４）から吹出される風の方向を斜め後方側に設定していることを特徴とする請求項１ないし１２のいずれか一項に記載の車両用対流促進装置。
【請求項１４】
前記シート吹出口（１０、１１、３７、３８）は、前記シート（１、２）のシートバック（６、８）の側面の後方角部に設けられていることを特徴とする請求項１ないし１３のいずれか一項に記載の車両用対流促進装置。
【請求項１５】
前記シート吹出口（１０、１１）は、前記シート（１、２）のシートバック（６、８）の後ろ側の面における側方角部に設けられていることを特徴とする請求項１ないし１３のいずれか一項に記載の車両用対流促進装置。
【請求項１６】
前記シート吹出口（１０、１１）は、シートを構成するヘッドレスト（５２）に設けられていることを特徴とする請求項１または２に記載の車両用対流促進装置。
【発明の詳細な説明】
【技術分野】
【０００１】
本発明は、シートから吹出す風により車室内前方の空気を車室内後方に導く車両用対流促進装置に関するものである。
【背景技術】
【０００２】
従来、特許文献１に記載の車両用シート（単に、シートとも言う）が知られている。この装置は、車両用シートの周囲空間を空調するための空気を効率的に循環させて、車両用シートの周囲空間の温度調節を効果的に行うものである。
【０００３】
そのために、シートクッションおよびシートバックにおける着座者を支持する側の外形形状が、着座者を支持する中央部位が略平らな天板部と、天板部の両側部位が天板部より盛り上がった土手部とを有している。この車両用シートには、シート内部に空調装置が備えられている。その構成は、吹出口と、吸引口と、ダクトと、送風機とから構成されており、吹出口と吸引口とは、シートクッションまたはシートバックの何れかの土手部に形成されている。吹出口と吸引口の位置は、吹出口から吹き出された吹出空気を吸引口に吸引することのできる循環可能な位置である。これによってシートに着座した乗員周りの対流を促進している。
【先行技術文献】
【特許文献】
【０００４】
【特許文献１】特開２０１０−１４２２７４号公報
【発明の概要】
【発明が解決しようとする課題】
【０００５】
シート空調装置には、吸込領域と吹出領域があり、効果的に乗員の快適性を得るためには、吸込口と吹出口とのレイアウトが重要である。上記特許文献１では、乗員によって暖められた空気を、シートの外部において乗員のいない領域に吹き出す必要がある。この吹出し風は不要なものと認識され活用されていない。
【０００６】
一方、車室内の前席に比し、後席は、快適な空気が循環しているとは言えない。例えば、前席は、車両用空調装置の吹出口からの送風があり、車両用空調装置が作動していないときでも、高速走行時には、走行時の圧力（ラム圧）により風が車室内に導かれる。また、乗員の操作により自由に換気がし易い。従って、前席の空気を対流させることにより、車室内の快適性を改善する余地がある。
【０００７】
本発明は、このような従来の技術に存在する問題点に着目して成されたものであり、その目的は、車室内前方の空気を車室内後方に対流させることのできる車両用対流促進装置を提供することにある。
【０００８】
従来技術として列挙された特許文献の記載内容は、この明細書に記載された技術的要素の説明として、参照によって導入ないし援用することができる。
【課題を解決するための手段】
【０００９】
本発明は上記目的を達成するために、下記の技術的手段を採用する。すなわち、本発明では、車両内に設けられたシート（１、２）と、シート（１、２）に設けられ車両後方または車両斜め後方へ空気を吹出すことにより車両前方の空気を巻き込んで車両後方への空気流路を形成するシート吹出口（１０、１１、３７、３８）と、を備えている。そして、シート吹出口（１０、１１、３７、３８）は、シートの曲がり角または車両前後方向に延在する側面に設けられ、車両前方の空気を巻き込む角度で空気を吹出すことを特徴としている。
【００１０】
この発明によれば、シート吹出口（１０、１１、３７、３８）から吹出された空気の粘性を利用して、車両後方への空気流路を誘導して形成するから、この空気流路に沿って車両前方から車両後方に向けて空気が移動する。これによって、快適な空気が車両後方に運ばれ、車室内の快適さが改善できる。
【００１１】
本発明では、シート（１、２）の背もたれ部となるシートバック（６、８）の曲がり角に、シート吹出口（１０、１１、３７、３８）を備え、シート吹出口（１０、１１、３７、３８）から車両斜め後方へ空気を吹出すことを特徴としている。この発明によれば、所望の車両後方に向けて車両前方から空気を移動させることができる。
【００１２】
本発明では、シート吹出口（１０、１１、３７、３８）が、吸い込んだ空気をシートバック（６、８）の側面から車両後方または車両斜め後方に吹出すシート側方吹出口（１０、１１）から構成されている。
【００１３】
この発明によれば、シート（１、２）内には、吸い込んだ空気をシートバック（６、８）の側面から後方側に吹出すシート側方吹出口（１０、１１）を備える。このシート吹出口（１０、１１）から吹出される風により、車両前方から車両後方に向けて空気の一部をシート（１、２）の後方に流すことができる。従って、快適な空気をシート後方側に対流させて空気の滞留が無い車室内環境を作り出すことができる。
【００１４】
本発明では、更に、シート（１、２）の前方に設けられた車両用空調装置（２５）のフェイス吹出口（５）を備える。フェイス吹出口（５）から車両用空調装置（２５）が作動したときの空調風が車両後方に向けて吹出される。この場合に、空調風に沿ってシート吹出口（１０、１１）から風を吹出すように制御する制御装置（３２）を備えることを特徴としている。
【００１５】
この発明によれば、フェイス吹出口（５）からの空調風をシート吹出口（１０、１１）から吹出す風により空気の粘性を利用して車両後方側まで運ぶことができる。
【００１６】
本発明では、車両用空調装置（２５）の運転モードが、フェイス吹出口（５）から送風するフェイスモードであることを条件に、シート吹出口（１０、１１）から風を吹出す制御装置（３２）を備えることを特徴としている。
【００１７】
この発明によれば、フェイス吹出口（５）から送風するフェイスモードであることを条件に、シート吹出口（１０、１１）から風を吹出すから、空調風を良好に対流させないシート吹出口（１０、１１）からの送風を抑制することができる。
【００１８】
本発明では、シート（１、２）内に対流用ファン（１４）をシート（１、２）の内部に組み込まれたシート内ファン（１４）として有している。シート内ファン（１４）の空気吸込口からの空気をシート（１、２）のシート表皮（１７）を通過する空気とシート吹出口（１０、１１）を通過する空気とのいずれかに切替える空気流切替え手段（２２、２３）を備えたことを特徴としている。
【００１９】
この発明によれば、シート（１、２）のシート表皮（１７）を通過する空気とシート吹出口（１０、１１）を通過する空気とのいずれかに切替える。よって、シートに着座した乗員を快適にすると共に、必要に応じて車両前方に存在する快適な空気を車両後方に対流させ、空気の滞留の無い快適な車室内環境を作り出すことができる。
【００２０】
本発明では、フェイス吹出口（５）に設けられたスイングルーバ（２６）と、スイングルーバ（２６）の動きを検出するセンサ（３１）とを備える。そして、センサ（３１）からの信号により、シート吹出口（１０、１１）から車両後方に風を吹出すシート用ルーバ（２２）の動きを制御するルーバ駆動装置（２３）と、を備えることを特徴としている。
【００２１】
この発明によれば、スイングルーバ（２６）の動きに連動してシート吹出口（１０、１１）から後方側に風を吹出す。これにより、フェイス吹出口（５）から快適な空気が車両後方に吹出されたことに連動してシート吹出口（１０、１１）から車両後方側に風を吹出し、極力快適な空気が車両後方側に向かうようにすることができる。
【００２２】
本発明では、車両用空調装置（２５）は車両の左右側方に夫々空気を吹出すサイドベント吹出口（３５、３６）を備える。サイドベント吹出口（３５、３６）から後方に向けて吹出される風をアシストするように、前席側シート（１、２）の窓側側面に設けられ空気をシート（１、２）の窓側側面から後方側に吹出す窓側シート吹出口（３７、３８）を更に備えることを特徴としている。
【００２３】
この発明によれば、空気をシート（１、２）の窓側側面から後方側に吹出す窓側シート吹出口（３７、３８）を備える。この吹出口（３７、３８）から吹出される風によりサイドベント吹出口（３５、３６）から吹出され前席側シート（１、２）周辺に存在する空気を車両後方に窓側に沿って流すことができるから、前席側に存在する快適な空気を車両後方に対流させることができる。
【００２４】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００２５】
【図１】本発明の第１実施形態における車両用対流促進装置の作動を示す車室内の斜視図である。
【図２】上記実施形態における運転席用シートの側面図である。
【図３】上記実施形態における図２のシートの内部構成図である。
【図４】上記実施形態における図３の矢印Ｙ３方向から見た運転席用シートの内部構成図である。
【図５】上記実施形態における図４に示したシート側方ルーバの動きを説明する説明図である。
【図６】上記実施形態における車両の天井側から床方向を見た前席側シートの配置図である。
【図７】図６のシート側方ルーバの内部構成と吹出し風を模式的に示す部分拡大図である。
【図８】上記実施形態における車両用対流促進装置によって車両前方側に存在する快適な空気を対流させる状態を説明する車両の模式図である。
【図９】従来のシート空調装置を備えた車両における空気の状態を説明するための比較例となる車両の模式図である。
【図１０】本発明の第２実施形態を示す車両用空調装置のフェイス吹出口にスイングルーバを持つ車両の模式図である。
【図１１】図１０に示されたスイングルーバと、シート側方ルーバを駆動するルーバ駆動装置との電気的連動システムを説明する説明図である。
【図１２】本発明の第３実施形態を示すシートの内部構成と吹出し風を模式的に示す部分拡大図であるである。
【図１３】本発明の第４実施形態を示すシートの内部構成と吹出し風を模式的に示す部分拡大図であるである。
【図１４】本発明の第５実施形態を示す車両用空調装置のサイドベント吹出口からの空気を車両後方に導く車両用対流促進装置を備えた車両の模式図である。
【図１５】本発明の第６実施形態を示す後部座席のない車両の模式図である。
【図１６】本発明の第７実施形態を示す後部座席側から運転席用シートを見た状態を示すシートの背面図である。
【図１７】図１６の矢印Ｙ１６１−Ｙ１６１線に沿う渦巻き状円筒部の一部断面図である。
【図１８】本発明の第８実施形態における運転席用シートの側面図である。
【図１９】上記第８実施形態における車両の天井側から床方向を見た運転席用シートの平面図である。
【図２０】上記第８実施形態における図１８の矢印Ｙ２０方向から見た運転席用シートの内部構成図である。
【図２１】本発明の第９実施形態における運転席用シートを背面から見た内部構成図である。
【発明を実施するための形態】
【００２６】
以下に、図面を参照しながら本発明を実施するための複数の形態を説明する。各形態において先行する形態で説明した事項に対応する部分には同一の参照符号を付して重複する説明を省略する場合がある。各形態において構成の一部を説明している場合は、構成の他の部分については先行して説明した他の形態を適用することができる。
【００２７】
各実施形態で具体的に組合せが可能であることを明示している部分同士の組合せばかりではなく、特に組合せに支障が生じなければ、明示していなくても実施形態同士を部分的に組合せることも可能である。
【００２８】
（第１実施形態）
以下、本発明の第１実施形態について図１ないし図８を用いて詳細に説明する。図１は、車両用対流促進装置の作動を示す。図１において、車両内には前席側シートとして運転席用シート１と助手席用シート２とが設けられ、後席には後席側シート３が設けられている。運転席用シート１と助手席用シート２との間には隙間４があり、この隙間４に略対向するように、車両用空調装置のフェイス吹出口５が設けられている。
【００２９】
運転席用シート１のシートバック６における助手席側の側面７および助手席用シート２のシートバック８における運転席側の側面９には、シート吹出口（以下、シート側方吹出口とも言う）１０、１１を備えている。このシート側方吹出口１０、１１は、シート１、２内に吸い込んだ空気を、シートバック６、８の側面から後方側に吹出す。このシート側方吹出口１０、１１から吹出される風によりフェイス吹出口５からシート１、２までの間に存在する空気を車両後方に流すことができる。これにより、快適な空気をシート後方側に対流させて空気の滞留が無い車室内環境を作り出すことができる。
【００３０】
運転席前方のダッシュボード１２には車両用空調装置の空調風を吹出す上記フェイス吹出口５が設けられている。このフェイス吹出口５から車両用空調装置が作動したときの空調風が後席に向けて吹出されている場合に、この空調風に沿ってシート側方吹出口１０、１１から吹出すようにしても良い。このためには、車両用空調装置の吹出モードが乗員の顔方向に吹出すフェイス吹出モードであるときに、シート１、２内のシート空調用ファンが回転するように連動させるだけでよい。これによって、フェイス吹出口５からの空調風をシート側方吹出口１０、１１から吹出す風により車両後方側まで運ぶことができる。シート空調用ファンは、対流用ファンを構成する。
【００３１】
そして、フェイス吹出口５は、運転席用シート１と助手席用シート２との間に向けて送風するセンターベント吹出口５から成り、このセンターベント吹出口５から後席側シート３までの間にシート側方吹出口１０、１１が相対向して形成されている。従って、センターベント吹出口５から車両後方側に向かう風をアシストするようにシート側方吹出口１０、１１から送風することができる。
【００３２】
図２は、図１の運転席用シート１を示す。また、図３は図２の運転席用シート１の内部構成を示す。更に、図４は、運転席用シート１の背面から見た内部構成を示す。図３および図４のように、運転席用シート１（助手席用シート２も同じ）内にはシート外部からの空気を吸い込む吸込口１３（多孔質のシート表皮から成る）と吸い込んだ空気をシート外部にシート側方吹出口１０を介して吹出すシート内部ファン１４とを備える。シート内部ファン１４は、対流用ファンを構成する。
【００３３】
図３において、シート１内に設けられた隔壁１５に遠心式多翼ファンから成るシート内部ファン１４が取り付けられ、隔壁１５には貫通孔１６が設けられている。シート１の多孔質の表皮１７や弾性部材（クッション部材）１８を介して乗員が接するシート表面側から空気がシート内部ファン１４内に図３の複数の矢印Ｙ３１のように取り込まれ、遠心力で図３の紙面手前側Ｙ３２つまり図４の矢印Ｙ４方向に空気が流れる。
【００３４】
シート１内には、シート内部ダクト２１が形成され、シート内部ダクト２１内は、シート内部ダクト２１外よりも空気が流れやすくなっている。シート内部ダクト２１のシート側方吹出口側にはシート側方ルーバ２２の複数のルーバ部が回転可能に設けられている。シート側方ルーバ２２の回転は、ルーバ駆動装置２３となる小型モータや電磁ソレノイドによって制御される。シート側方ルーバ２２は、シート用ルーバを構成する。
【００３５】
図５は、複数のルーバ部の形状を図４の矢印Ｙ４１方向から見て示している。図５（ａ）は、シート側方ルーバ２２を開いた状態である。この状態においては、図４の矢印Ｙ４、つまり図５の矢印Ｙ５１、Ｙ５２、Ｙ５３方向から流れてきたシート内部ファン１４の吹出風は、シート側方ルーバ２２に風の流れを変えられて、矢印Ｙ５４、Ｙ５５、Ｙ５６方向のように、シート斜め後方に向けて吹出す。
【００３６】
そして、前席側シート１、２は、運転席用シート１と助手席用シート２とから成る。運転席用シート１のシート側方吹出口１０と助手席用シート２のシート側方吹出口１１（図１）とは、運転席用シート１と助手席側用シート２との夫々のシートバック６、８の側面に相対向して設けられている。従って、夫々のシートバック６、８の側面に存在する空気を後方に向けて送り出す。
【００３７】
シート側方吹出口１０、１１に設けられ、シート側方吹出口１０、１１から吹出される風の方向を制御するシート側方ルーバ２２（図５）を有する。このシート側方ルーバ２２の動きは、図１のダッシュボード１２内のシート空調装置の制御部を有する空調用制御装置（エアコンＥＣＵ）によって制御される。従って、シート側方ルーバ２２の開閉を車両用空調装置のフェイス吹出口５から空調風が吹出されるタイミングと同期させることができる。
【００３８】
シート１、２のシート側方吹出口１０、１１部分を一部破砕して示す図６において、運転席用シート１と助手席用シート２が並置され、双方の間には隙間４が設けられている。隙間４を挟むようにシート側方吹出口１０、１１が設けられ、このシート側方吹出口１０、１１内に模式的に図示したシート側方ルーバ２２が各々設けられている。シート側方ルーバ２２は外部から見える位置に設けられている。
【００３９】
図７は、シート側方ルーバ２２の内部構成と吹出し風を模式的に示す。図７において、シート側方ルーバ２２は、複数のルーバ部を持ち、各ルーバ部は軸を中心にして回転し、各軸同士は図示しない動力伝達手段（ギヤ等）を介して連動する構成である。軸の一つには小型モータが内蔵されたルーバ駆動装置２３が接続され、シート側方ルーバ２２の開閉が可能となっている。図７の左右のシート側方吹出口１０、１１には、同じ構造のシート側方ルーバ２２が設けられている。
【００４０】
ルーバ駆動装置２３によって図５（ｂ）のように空気流れが遮断または著しく阻害された場合は、図４のシート空調用ファン１４によって圧送されながらも行き場を失った空気が存在する。この空気は、シート内ダクト２１から多孔質の弾性部材１８およびシート表皮１７を介してシート１の表面側に漏れる。従って、シート側方ルーバ２２とルーバ駆動装置２３とは空気流切替え手段２２、２３を構成する。
【００４１】
換言すれば、図７および図８に示すように、前席側シート１、２は、シート表皮１７の空気吸込口部分からの空気を、シート表皮１７の空気吹出口部分とシート側方吹出口１０、１１とのいずれかに切替える空気流切替え手段２２、２３を備える。
【００４２】
空気流切替え手段２２、２３は、シート側方ルーバ２２とルーバ駆動装置２３とから構成されている。従って、シート表皮１７の換気によってシート１、２に着座した乗員を快適にする。それと共に、図８に示すように、車両前方に存在する快適な空気Ａ１を車両後方側に対流風Ａ２として流して、車両後方まで到達した空気Ａ３とし、空気滞留の無い快適な車室内環境を作り出すことができる。
【００４３】
図９は比較例である。この比較例の場合は、シートバック６、８の中央後方にシート空調の排出風Ａ４、Ａ５が吹出されるため、後部座席の乗員に直接的に排出風Ａ４、Ａ５が当たったり、前席側の比較的快適な空気Ａ１が滞留したりすることになる。
【００４４】
（第１実施形態の作用効果）
第１実施形態においては、車両内に設けられたシート１、２と、シート１、２に設けられ車両後方側または車両斜め後方へ空気を吹出すことにより車両前方の空気を巻き込んで車両後方への空気流路を形成するシート吹出口１０、１１とを備える。このシート吹出口１０、１１は、車両前後方向に延在する側面に設けられ、車両前方の空気を巻き込む角度で空気を吹出す。
【００４５】
これによれば、シート吹出口１０、１１から吹出された空気の粘性を利用して車両後方への空気流路を形成できるから、この空気流路に沿って車両前方から車両後方に向けて空気が移動する。これによって、快適な空気が車両後方に運ばれ、車室内の快適さが改善できる。
【００４６】
また、シート吹出口１０、１１は、吸い込んだ空気をシートバック６、８の側面から車両後方側または車両斜め後方に吹出す。これによれば、シート吹出口１０、１１から吹出された空気により、車両後方への空気流路が効率よく形成されるから、この空気流路に沿って車両前方から車両後方に向けて空気が移動する。これによって、快適な空気が車両後方に運ばれ、車室内の快適さが改善できる。
【００４７】
次に、シート１、２の前方に設けられた車両用空調装置２５のフェイス吹出口５を備えている。そして、シート１、２内には吸い込んだ空気をシート１、２の背もたれ部となるシートバック６、８の側面から車両後方側に吹出すシート側方吹出口１０、１１を備えている。更に、シート側方吹出口１０、１１から吹出される風により、フェイス吹出口５からシート１、２までに存在する空気をシート１、２の後方に流す。
【００４８】
これによれば、シート側方吹出口１０、１１から吹出される風により、フェイス吹出口５からシート１、２までに存在する空気をシート１、２の後方に流すことができる。よって、快適な空気をシート後方側に対流させて空気の滞留が無い車室内環境を作り出すことができる。
【００４９】
また、フェイス吹出口５から、車両用空調装置２５が作動したときの空調風が車両後方に向けて吹出されている場合に、シート側方吹出口１０、１１から風が吹出すように制御する制御装置３２を備える。これによれば、フェイス吹出口５からの空調風をシート側方吹出口１０、１１から吹出す風により車両後方側まで運ぶことができる。
【００５０】
更に、シート外部からの空気を吸い込む吸込口と、吸い込んだ空気がシート側方吹出口１０、１１を介して吹出される対流用ファン１４を備える。これによれば、対流用ファン１４の空気圧送作用により車両後方への空気の対流状態を得ることができる。
【００５１】
加えて、シート側方吹出口１０、１１には、このシート側方吹出口１０、１１から吹出される風の方向を制御するシート側方ルーバ２２が設けられている。従って、シート側方ルーバ２２によって、シート１、２の側方から車両後方に向かう風を作り出すことができる。
【００５２】
次に、シート１、２は、運転席用シート１と助手席用シート２とから成る。運転席用シート１のシート側方吹出口１０と助手席用シート２のシート側方吹出口１１とは、運転席用シート１と助手席用シート２との夫々のシートバック６、８の側面に相対向して設けられている。これによれば、夫々のシートバック６、８の側面に存在する空気を車両後方に向けて容易に送り出すことができる。
【００５３】
また、フェイス吹出口５は、運転席用シート１と助手席用シート２との間に向けて送風するセンターベント吹出口５から成る。そして、センターベント吹出口から車両後方までの間にシート側方吹出口１０、１１が形成されている。従って、センターベント吹出口５から車両後方に向かう風をアシストするようにシート側方吹出口１０、１１から送風することができる。
【００５４】
更に、シート１、２内に対流用ファン１４をシート１、２の内部に組み込まれたシート内ファン１４として構成している。かつ、シート内ファン１４の空気吸込口からの空気をシート１、２のシート表皮１７を通過する空気とシート側方吹出口１０、１１を通過する空気とのいずれかに切替える空気流切替え手段２２、２３を備えている。
【００５５】
これによれば、シート１、２のシート表皮１７を通過する空気で、シートに着座した乗員を快適にすることができる。また、必要に応じて車両前方に存在する快適な空気を車両後方に対流させ、空気の滞留の無い快適な車室内環境を作り出すことができる。
【００５６】
（第２実施形態）
次に、本発明の第２実施形態について説明する。なお、以降の各実施形態においては、上述した第１実施形態と同一の構成要素には同一の符号を付して説明を省略し、異なる構成について説明する。なお、第２実施例以下については、第１実施例と同じ符号は、同一の構成を示すものであって、先行する説明が援用される。
【００５７】
図１０において、車両用空調装置２５のフェイス吹出口５にスイングルーバ２６（図１１）を持つ。図１１において、スイングルーバ２６とシート側方ルーバ２２を駆動するルーバ駆動装置２３との電気的連動システムが説明される。
【００５８】
図１０および図１１において、車両用空調装置２５におけるフェイス吹出口５の内部にスイングルーバ２６が設けられている。このスイングルーバ２６における左右の振れにより、吹出風が矢印Ｙ１０１、Ｙ１０２、Ｙ１０３のように左右に振れる。
【００５９】
このスイングルーバ２６の動きは、スイングルーバ２６を駆動する図１１の駆動用モータ２７とクランク機構２８、２９によって引き起こされる。クランク機構２８、２９は、駆動用モータ２７によって回転するレバー２８とレバー２８にピンにて結合され往復運動を行うロッド２９とから成る。クランク機構２８、２９の動きを検知するマイクロスイッチ（磁気検出スイッチ）３１によってスイングルーバ２６が、図１０の矢印Ｙ１０２に示す後部座席方向に直進する風を吹出しているタイミングをモニターすることができる。
【００６０】
空調制御装置３２は、マイクロスイッチ３１からの信号によってスイングルーバ２６が矢印Ｙ１０２に示す後部座席方向に直進する風を吹出すタイミングを把握し、ルーバ駆動装置２３の小型モータの回転を制御する。これにより、スイングルーバ２６の動きに連動してシート側方吹出口１０（１１）内のシート側方ルーバ２２から後方側に風を吹出す。よって、フェイス吹出口５から快適な空気が吹出されたことに連動してシート側方吹出口１０（１１）から後方側に風を吹出し、極力快適な空気が車両後方側に向かうようにすることができる。
【００６１】
（第２実施形態の作用効果）
上記第２実施形態においては、フェイス吹出口５に設けられたスイングルーバ２６を有し、スイングルーバ２６の動きに連動してシート１、２の側方に配置されたルーバ駆動装置２３を制御する電気的な連動システムを備える。従って、スイングルーバ２６の動きに連動してシート側方吹出口１０（１１）から後方側に風を吹出す。これにより、フェイス吹出口５から快適な空気が吹出されたタイミングでシート側方吹出口１０（１１）から後方側に風を吹出し、極力快適な空気が車両後方側に向かうようにすることができる。
【００６２】
スイングルーバ２６が図１０の矢印Ｙ１０２のように、風をまっすぐ車両後方に向けて吹出すタイミングでのスイングルーバ２６の位置は、往復運動するクランク機構２８、２９のレバー２８の位置を検出する磁気センサ３１で検出される。そして、磁気センサ３１から空調制御装置３２に検出した位置信号が入力される。
【００６３】
空調制御装置３２は、磁気センサ３１の信号に基づき、ルーバ駆動装置２３内のモータ（または電磁ソレノイド）に通電して、シート側方ルーバ２２の動きを制御する。そして、スイングルーバ２６が図１０の矢印Ｙ１０２のように、風をまっすぐ車両後方に向けて吹出すタイミングでシート側方ルーバ２２が図５（ａ）のように、シート側方吹出口１０（１１）から風を斜め後方に吹出す。
【００６４】
また、上記制御が行われるのは、車両用空調装置２５の運転モードが主としてフェイス吹出口５から送風するフェイスモードのときである。つまり、フェイスモードであることを条件として、シート側方吹出口１０（１１）から風を斜め後方に吹出す。これにより、乗員の顔方向に向けて空調風が流れるときに、シート側方吹出口１０（１１）から風を吹出すので、空調風を有効に対流させないシート側方吹出口１０（１１）からの送風を極力無くすことができる。
【００６５】
（第３実施形態）
次に、本発明の第３実施形態について説明する。上述した実施形態と異なる部分を説明する。図１２において、シート側方吹出口１０、１１には、斜め後方に傾斜したシート内部ダクト３３、３４が接続されている。そして、シート内部ダクト３３、３４から吹出される風の方向を斜め後方側に設定している。これによれば、シート側方吹出口１０、１１には、斜め後方に傾斜したシート内部ダクト３３、３４が接続されているから、このシート内部ダクト３３、３４から後方に向けて風を吹出すことができる。つまり、シート側方吹出口１０、１１は、シート１、２のシートバック６、８の側面の後方角部に設けられているから、後方角部から車室内の後方に向けて風を吹出すことができる。
【００６６】
この第３実施形態においては、シート側方吹出口１０、１１は、シート１、２のシートバック６、８の側面の後方角部に設けられている。これによれば、後方角部から斜め後方に向けて風を吹出し、隙間４（シートバック６、８の側面間）内に存在する空気を矢印Ａ２のように車両後方に向けて送り出すことができる。なお、シート用ルーバ２２は省略しても良いし、可動できるものでなく固定ルーバとしてもよい。
【００６７】
（第３実施形態の作用効果）
上記第３実施形態においては、車両内に設けられたシート１、２と、シート１、２に設けられ車両斜め後方へ空気を吹出すことにより車両前方の空気を巻き込んで車両後方への空気流路を形成するシート吹出口１０、１１を備えている。そして、シート吹出口１０、１１は、シートの曲がり角に設けられ、車両前方の空気を巻き込む角度で空気を吹出す。これによって、車両前方の空気を巻き込んで車両後方側に移動させることが出来る。
【００６８】
具体的には、シート１、２の背もたれ部となるシートバック６、８の曲がり角に、シート吹出口１０、１１を備え、シート吹出口１０、１１から車両斜め後方へ空気を吹出している。
【００６９】
（第４実施形態）
次に、本発明の第４実施形態について説明する。上述した実施形態と異なる部分を説明する。図１３において、シート側方吹出口１０、１１には、斜め後方に傾斜したシート内部ダクト３３、３４が接続され、このシート内部ダクト３３、３４から吹出される風の方向を斜め後方側に設定している。これによれば、シート側方吹出口には、斜め後方に傾斜したシート内部ダクト３３、３４が接続されているから、このシート内部ダクトから後方に向けて風を吹出すことができる。
【００７０】
また、シート側方吹出口１０、１１は、シート１、２のシートバック６、８の後ろ側の面における側方角部に設けられている。従って、シート側方吹出口１０、１１は、シートバック６、８の側面間の隙間４内に存在する空気を矢印Ａ２のように後方に向けて送り出すことができる。
【００７１】
（第４実施形態の作用効果）
上記第４実施形態においては、車両内に設けられたシート１、２と、シート１、２に設けられ車両斜め後方へ空気を吹出すことにより車両前方の空気を巻き込んで車両後方への空気流路を形成するシート吹出口１０、１１を備えている。そして、シート吹出口１０、１１は、シートの曲がり角に設けられ、車両前方の空気を巻き込む角度で空気を吹出す。これによって、車両前方の空気を巻き込んで車両後方側に移動させることが出来る。
【００７２】
具体的には、シート１、２の背もたれ部となるシートバック６、８の曲がり角に、シート吹出口１０、１１を備え、シート吹出口１０、１１から車両斜め後方かつシートの外側に向けて空気を吹出している。これにより、効率よく車両前方の空気を巻き込んで車両後方側に移動させることが出来る。
【００７３】
（第５実施形態）
次に、本発明の第５実施形態について説明する。上述した実施形態と異なる部分を説明する。図１４において、車両用空調装置２５のサイドベント吹出口３５、３６からの空気を後部に導く車両用対流促進装置が備えられている。車両用空調装置２５は車両の左右側方に夫々空気を吹出すサイドベント吹出口３５、３６を備えている。そして、シートバック６、８の窓側側面から後方側に吹出す窓側シート吹出口３７、３８は、サイドベント吹出口３５、３６から後方に向けて吹出される風Ａ６をアシストする風を吹出す。
【００７４】
そして、前席側シート１、２内に設けられ、シート表皮等から吸い込んだ空気をシートバック６、８の窓側側面から後方側に吹出す窓側シート吹出口３７、３８を、前席側シート１、２の夫々と車両の左右に設けられている側面窓部との間に備える。これによって、後方に向けて吹出される風Ａ６のアシストが良好に行われる。
【００７５】
これによれば、前席側シート１、２内には吸い込んだ空気をシートバック６、８の窓側側面から後方側に吹出す窓側シート吹出口３７、３８を備える。窓側シート吹出口３７、３８はシート吹出口を構成する。そして、この窓側シート吹出口３７、３８から吹出される風によりサイドベント吹出口３５、３６から吹出され前席側シート周辺に存在する空気を、窓際に沿って、後席側シートの方（車室内後方）に流すことができる。よって、前席側に存在する快適な空気を車両後方側に対流させて、車両後方まで到達した空気Ａ３により後席の乗員が満足する車室内環境を作り出すことができる。
【００７６】
（第６実施形態）
次に、本発明の第６実施形態について説明する。上述した実施形態と異なる部分を説明する。図１５には、ツーシータと呼ばれる車両が模式的に示されている。図１５において、後部座席が存在しない車両（または後部座席に乗員が着座することを想定していない車両）に、本発明の車両用対流促進装置を設けた状態を示している。この場合は後席に乗員が存在しないが、シート側方吹出口１０、１１から吹出す風によって対流風Ａ２を作り、車室内の風を対流させることによって、シート１、２に着座する乗員に快適な空気Ａ１の移動を体感させることができる。
【００７７】
（第７実施形態）
次に、本発明の第７実施形態について説明する。上述した実施形態と異なる部分を説明する。図１６は、後部座席側から運転席用シート１の背面を見た状態を示す。図１７には、図１６の矢印Ｙ１６１−Ｙ１６１線に沿う渦巻き状円筒部４３の断面が示される。図１６において、対流用ファンを成すシート内部ファン１４は遠心ファンでなく軸流ファンを使用している。そして軸流ファン１４は、シートバック６内でなくシート１の着座部の下のシートクッション４１内に設けられている。つまり、より床に近い側に設けられている。また、シート側方吹出口１０（１１）にシート側方ルーバは設けられていない。
【００７８】
図１６において、軸流ファン１４からチューブ４２で渦巻き状円筒部４３内に、空気を矢印Ｙ１６のように送り込んでいる。そして、図１７の渦巻き状円筒部４３の側面に直線状に設けられたスリット４４から成るシート側方吹出口１０（１１）から、斜め後方に空気が吹出す。このように、第７実施形態は、シート吹出口を成すスリット４４から吹出す風により、周りの空気を巻き込んで吹出す羽根のない扇風機の原理を利用するものである。なお、図１６の上方から矢印Ｙ１６２のように見下ろして反時計回りに旋回する空気を矢印Ｙ１６のように送り込むと有効である。また、軸流ファンの代わりに遠心ファンを使用しても良い。
【００７９】
（第８実施形態）
次に、本発明の第８実施形態について説明する。上述した実施形態と異なる部分を説明する。図１８は、本発明の第８実施形態における運転席用シート１の側面を示している。図１９は、第８実施形態における車両の天井側から床方向を見た運転席用シート１を示している。図２０は、第８実施形態における図１８の矢印Ｙ２０方向から見た運転席用シート１の背面を示している。
【００８０】
図１８において、運転席用シート１（助手席用シート２も同じ）内には、多孔質のシート表皮１７（吸込口）からシート外部の空気を矢印Ｙ２０のように吸い込む。そして、吸い込んだ空気をヘッドレスト取付け具５１内に送風するシート内部ファン（対流用ファン）１４を備える。ヘッドレスト取付け具５１は、空気が内部を通過するようにパイプ状またはダクト状に構成されている。
【００８１】
対流用ファンを成すシート内部ファン１４として、多孔質の容器５３内に軸流ファン５５が複数個設置されている。この軸流ファン５５が回転することにより、運転席用シート１の多孔質の表皮１７および弾性部材（クッション部材）１８を介して吸い込んだ空気が容器５３の上部に送り込まれる。
【００８２】
送りこまれた空気は、ヘッドレスト取付け具５１の内部空間を介して、ヘッドレスト５２内に至る。ヘッドレスト５２は、中央に開口部５６（図２０）を持ち、乗員の頭部を固定する。このヘッドレスト５２は、外周面および内周面にシート吹出口１０ｈ１〜１０ｈ８を有する。なお、シート吹出口１０ｈ１〜１０ｈ８を総称してシート吹出口１０とも言う。
【００８３】
このシート吹出口１０ｈ１〜１０ｈ８内には、シート用ルーバを有し、ヘッドレスト５２内部の空気を車室内の後席側に向けて、矢印Ｙ１８１〜Ｙ１８３のように吹出す。このシート吹出口１０ｈ１〜１０ｈ８から吹出される風により、シート前方側に存在する空気である頭部近傍空気（頭部周辺空気）と首部近傍空気（首部周辺空気）とを、車両後方に矢印Ｙ１９１〜Ｙ１９３のように流すことができる。これにより、快適な空気をシート後方側に対流させて空気の滞留（よどみ）が無い車室内環境を作り出すことができる。
【００８４】
以上のように、ヘッドレスト５２の周辺部には、後方側に吹出すシート吹出口１０ｈ１〜１０ｈ８が設けられており、乗員頭部の後方に向けて風を送り出すことができる。これにより、乗員頭部近傍または乗員首部近傍に存在する空気を車両後方に向けて、対流させることができる。
【００８５】
（第８実施形態の作用効果）
上記第８実施形態においては、車両内に設けられたシート１、２の一部を成すヘッドレスト５２を有している。このシート１、２の一部を成すヘッドレスト５２に設けられ車両後方側または車両斜め後方へ空気を吹出すことにより車両前方の空気を巻き込んで車両後方への空気流路を形成するシート吹出口１０（１０ｈ１〜１０ｈ８）を備えている。
【００８６】
シート吹出口１０（１０ｈ１〜１０ｈ８）は、シート１、２の一部を成すヘッドレスト５２の曲がり角または車両前後方向に延在する側面に設けられ、車両前方の空気を巻き込む角度で空気を吹出す。なお、ヘッドレスト５２は、シート１、２の背もたれ部となるシートバック６、８の一部を構成している。
【００８７】
（第９実施形態）
次に、本発明の第９実施形態について説明する。上述した実施形態と異なる部分を説明する。図２１は、運転席用シート１の背面を示している。図２１において、運転席用シート１（助手席用シートであっても良い）には、正規品としてのヘッドレスト５２を外して後付製品としてのヘッドレスト５２が装着されている。
【００８８】
シート１の一部を成すヘッドレスト５２の内部には、対流用ファンを成す軸流ファン５５が複数個設置されている。軸流ファン５５が回転することにより、ヘッドレスト５２前面（図２１の紙面奥側）の多孔質の表皮や弾性部材（クッション部材）を介して吸い込んだ空気をヘッドレスト５２の外周面に設けたシート吹出口１０（１０ｈ１〜１０ｈ４）から吹出す。この吹出された空気は、車室内の後席側に向かう。
【００８９】
ヘッドレスト５２は、背面にスイッチ５７を持ち、このスイッチ５７をオンすることにより軸流ファン５５が回転する。軸流ファン５５にはスイッチ５７とコード５８とを介して運転者の前に設置されたシガーライタから給電される。このように、ヘッドレスト５２が正規製品と後付製品とで脱着および交換が可能であるため、車両のユーザ自身が、ヘッドレスト５２を交換するだけで、容易に対流効果が得られる。
【００９０】
（第９実施形態の作用効果）
上記第９実施形態においては、車両内に設けられたシート１、２の一部を成す取り外しおよび交換可能なヘッドレスト５２を有している。このシート１、２の一部を成すヘッドレスト５２に設けられ車両後方側または車両斜め後方へ空気を吹出すことにより車両前方の空気を巻き込んで車両後方への空気流路を形成するシート吹出口１０（１０ｈ１〜１０ｈ４）を備えている。
【００９１】
シート吹出口１０（１０ｈ１〜１０ｈ４）は、シート１、２の一部を成すヘッドレスト５２の曲がり角または車両前後方向に延在する側面に設けられ、車両前方の空気を巻き込む角度で空気を吹出す。なお、ヘッドレスト５２は、シート１、２の背もたれ部となるシートバック６、８の一部を構成している。
【００９２】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味および範囲内での全ての変更を含むものである。
【００９３】
上記実施形態においては、対流用ファンとして、シート空調用ファンを使用したが、ファンの風をシート空調に使用せず、車両用対流促進装置専用のファンを用いても良い。また、シート側方吹出口はシート内に埋没させる必要がなく、シートから突出していても良い。同様に対流用ファンはシート内に埋没されておらず露出していても良い。例えば、対流用ファンを前席側シート相互間のセンターコンソール内に設けても良い。また、運転席用シートと助手席用シートの対流用ファンを共通の単一のファンで構成しても良い。
【００９４】
シート側方吹出口に設けられ、吹出される風の方向を設定するシート用ルーバは、固定式のルーバであっても良い。シート側方吹出口から吹出す風は帯状の風が好ましいが、スポット上の風であっても良い。また、上記シート用ルーバは必須のものではない。
【００９５】
シート１、２内には吸い込んだ空気をシート１、２の背もたれ部となるシートバック６、８の側面から車両後方側に吹出すシート側方吹出口１０、１１を備えた。そして、このシート側方吹出口１０、１１から吹出される風によりフェイス吹出口５からシート１、２までに存在する空気をシート１、２の後方に流す構成としたが、例えば運転席用シート１にしかシート側方吹出口がない構成も本発明の構成に含まれる。
【００９６】
サイドベント吹出口３５、３６から後方に向けて吹出される風をアシストするように、前席側シート内に設けられ、吸い込んだ空気をシートバック６、８の窓側側面から後方側に吹出す窓側シート吹出口３７、３８を備えた。このアシスト風が吹出すタイミングと、運転席用シート１と助手席用シート２との夫々のシートバック６、８の側面に相対向して設けたシート側方吹出口１０、１１から風を吹出すタイミングとは、互いに独立して制御してもよい。つまり、窓側シート吹出口３７、３８からの送風と前席側シート１、２の隙間４に位置するシート側方吹出口１０、１１からの送風とはタイミングをずらせても良い。つまり、例えばこれら２種の送風を交互に行っても良い。
【００９７】
上記実施形態におけるシート１、２は、乗員が接触するシート１、２の接触面に形成された空気吸込口（図３）から車室内の空気を矢印Ｙ３１のように吸込む。そして、シート側方吹出口１０、１１または空気吸込口１３以外に形成された空気吹出口から空気を吹出すシート内空気通路を備えた。そして、このシート内空気通路に設けられたシート内ファンを備えた。かつ、空気吸込口からの空気を空気吹出口とシート側方吹出口１０、１１とのいずれかに切替える空気流切替え手段を備えた。この空気流切替え手段は、ダンパやフィルムドアのような、風を部分的にさえぎる機構を使用して構成されても良い。
【００９８】
また、本発明の車両用対流促進装置は、シートの表皮から空気を吸い込むタイプのシートベンチレーションシステムでなくても良い。シートの表皮から空気を排出するタイプのシートベンチレーションシステムまたはシート内に熱交換器やペルチェ素子を備えたシート空調装置と一体に構成しても良い。そして、シート表皮から空気を排出するとともに、前席側シートのシートエッジにシート吹出口を持ち、シートエッジからも風を吹き出すことで、前席から後席への快適な空気の対流を促すことができる。この結果、車両用空調装置からの冷風等を、空気の粘性を利用して、後席座席まで到達させ易くすることができる
なお、シート表皮から空気を吸い込むタイプのシートベンチレーションシステムまたはシート空調装置では、吸い込んだ冷風がシートの熱ロスと乗員の熱とで暖められるため、吸い込み空気の排出先の空気の温度が上昇する。しかし、本発明装置を用いれば、シート吹出口からの風を車両用空調装置から吹出す冷風と混合することにより、快適な空気を後方に吹出すことができる。従って、シート内からの排出風の処理に困らないという効果もある。
【００９９】
また、後席側シート左右の各席の乗員の要求に応じて、一対のシート吹出口からの送風の出力バランスを変えることにより、冷風が必要される後席の右側または左側へより多く送風できるようにしても良い。例えば、運転席用シート１のシート側方吹出口１０から吹出す風量と、助手席用シート２のシート側方吹出口１１から吹出す風量とがアンバランスになるように意図的に制御して送風方向を変えたり、送風方向をスイングさせたりすることも可能である。シートに設けられ車両後方側へ空気を吹出すシート吹出口は、シートの一部を成すアームレスト６０、６１（図２１）に設けられていても良い。
【符号の説明】
【０１００】
５  フェイス吹出口（センターベント吹出口）
１０、１１  シート吹出口（シート側方吹出口）
１４  対流用ファン（シート内ファン）
２２  シート用ルーバ（シート側方ルーバ）
２６  スイングルーバ
２３  ルーバ駆動装置
３２  制御装置（空調制御装置）
３５、３６  サイドベント吹出口
３７、３８  窓側シート吹出口
２２、２３  空気流切替え手段
【図１】
2014111424.tif 000003
【図２】
2014111424.tif 000004
【図３】
2014111424.tif 000005
【図４】
2014111424.tif 000006
【図５】
2014111424.tif 000007
【図６】
2014111424.tif 000008
【図７】
2014111424.tif 000009
【図８】
2014111424.tif 000010
【図９】
2014111424.tif 000011
【図１０】
2014111424.tif 000012
【図１１】
2014111424.tif 000013
【図１２】
2014111424.tif 000014
【図１３】
2014111424.tif 000015
【図１４】
2014111424.tif 000016
【図１５】
2014111424.tif 000017
【図１６】
2014111424.tif 000018
【図１７】
2014111424.tif 000019
【図１８】
2014111424.tif 000020
【図１９】
2014111424.tif 000021
【図２０】
2014111424.tif 000022
【図２１】
2014111424.tif 000023